(57)【要約】      （修正有）【課題】冬季又は寒冷時の在室時における脚部及び足先部までの冷えを効率よく解消し快適な住空間を実現することができる室内用ズボンを提供する。【解決手段】足先の広さ・幅と股の付け根の広さ・幅がほぼ同じであり脚部及び足先部を一体的に覆うことができ、使用中は開口部のないズボンであることにより足の自由が奪われず冷気が侵入できない侵入させない構造となっている。核ズボンの足首部に通気の目的と紐を通す目的を共有する穴を設けたことにより蒸れを防止し室内での移動を容易にした。【選択図】図１
2006265802.tif 000002
【特許請求の範囲】
【請求項１】
腹部から足先部までを一体的に覆うことができ脚部より下に開口部が無いズボンである。
【請求項２】
ズボンの足首部より下に通気ができる穴と共に足首から下部の固定ができる紐又は固定具を取り付ける穴を設けたことを特徴とするズボンである。
【発明の詳細な説明】
【技術分野】
【０００１】本発明は在室時における大人から子供まで幅広い層の脚部から足先部の冷えを効率よく解消すると共に高い保温性と心地よい使用感を得ることができる室内用ズボンに関する。
【背景技術】
【０００２】従来より気温の低い冬季又は寒冷時は靴下又はストッキング等を装着したり脚部又は足先に毛布等を巻き脚部又は足先の冷えをしのいでいた。【０００３】また、一般家庭でも様々な暖房器具を用い脚部又は足先の冷えをしのいでいた。
【発明の開示】
【発明が解決しようとする課題】
【０００４】しかし靴下を装着した場合、足先だけが温まり足先に蒸れを生じ又ズボンの裾部から冷気が侵入しその温度差から効率良い保温性が感じられなかった。【０００５】また、ストッキング等の下着を着用した場合外出時と同じ感覚があり密着感から違和感が生じた。【０００６】また、脚部及び足先に毛布等を巻いた場合歩行時には毛布等を脱ぎズボン裾部からの冷気の侵入又冷床のため脚部及び足先の保温が出来ず著しい体温の低下があった。【０００７】また、足を暖める暖房器具を使用し冷えを解消する場合使用中に直接又は間接的でも乾燥し喉が渇いたり局部の低温火傷等の問題のおそれがあった。【０００８】また、その他の暖房器具を使用した場合電気使用に伴う経費がかかり使用を続ければ経費は無限にかかる計算となる。【０００９】また、大人から子供まで幅広いそうの人の体温が全て同一というわけではなく誰かに合わせば誰かが寒い思い又暖房器具を使えば暑い思いをしてきた。【００１０】本発明は上記の点を考慮し冬季又は寒冷時の在室時における脚部及び足先の冷えを効率よく解消し・電力に頼らず・行動範囲を狭めることなく・脚部及び足先部の保温ができ・男女を問わず大人から子供まで快適な住空間を実現できる室内用ズボンを提供することにある。
【発明が解決するための手段】
【００１１】本発明の室内用ズボンは上記目的を達成するために腰部から足先部までを一体的に覆うことができ両足進入用の開口部以外に開口部を設けないズボンである。
【００１２】また、核ズボンの足首部が配置される部分に通気の目的と足先からかかと、又足首部を固定するために紐を通す目的を共有する穴を設けた。
【発明の効果】
【００１３】本発明の室内用ズボンは腰部から足先部までを一体的に覆うことにより開口部が無く脚部から足先部まで冷気の侵入口が無いため冷気の侵入を防ぎ保温性の向上がある。
【００１４】また、ズボンの形状にすることにより密着感があまり無く室内での着用に違和感が無い。
【００１５】また、ズボンの形状にすることにより男女を問わず大人から子供まで来客があっても自然体で居られる。
【００１６】また、核ズボンの足首部が配置される部分に設けた通気目的の穴により密封状態による足の蒸れを解消する効果がある。
【００１７】また、通気目的の穴を利用し紐を用い足首部を固定することにより歩行時の足のもつれをなくし室内での移動を違和感無く容易にする効果がある。
【００１８】また、室内での歩行時（移動時）冷床による脚部及び足先部の著しい温度の低下を抑え極端な違和感をなくす効果がある。
【発明を実施するための最良の形態】
【００１９】以下、本発明室内用ズボンの実施の形態を図１〜図４に基ずいて説明する。なお図１は室内用ズボンの使用前の正面図図２は室内用ズボンの使用前の側面図  図３は室内用ズボンの使用例の正面図  図４は室内用ズボンの使用例の側面図を現す。【００２０】室内用ズボン１は上部に足を侵入させる開口部４が設けられており、足先部３には開口部が無く脚部２から足先部３までを一体的に覆うことができる形状を施している。【００２１】また、開口部４以外に開口部を設けないことで冷気がズボン各所から侵入することを防ぐことができる。【００２２】また、通気穴兼紐通し穴を図３及び図４のように足首部７を固定する目的で使用した場合危険なく室内の移動を容易にする効果がある。【００２３】なた、室内移動時に起こる脚部２及び足先部８への冷気侵入又冷床による温度変化を抑える効果がある。
【図１】
2006265802.tif 000003
【図３】
2006265802.tif 000004
【図４】
2006265802.tif 000005
【手続補正書】
【提出日】平成17年6月8日(2005.6.8)
【手続補正３】
【補正対象書類名】明細書
【補正対象項目名】全文
【補正方法】変更
【補正の内容】
【発明の詳細な説明】
【技術分野】
【０００１】本発明は在室時における大人から子供まで幅広い層の脚部から足先部の冷えを効率よく解消すると共に高い保温性と心地よい使用感を得ることができる室内用ズボンに関する。
【背景技術】
【０００２】従来より気温の低い冬季又は寒冷時は靴下又はストッキング等を装着したり脚部又は足先に毛布等を巻き脚部又は足先の冷えをしのいでいた。【０００３】また、一般家庭でも様々な暖房器具を用い脚部又は足先の冷えをしのいでいた。
【発明の開示】
【発明が解決しようとする課題】
【０００４】しかし靴下を装着した場合、足先だけが温まり足先に蒸れを生じ又ズボンの裾部から冷気が侵入しその温度差から効率良い保温性が感じられなかった。【０００５】また、ストッキング等の下着を着用した場合外出時と同じ感覚があり密着感から違和感が生じた。【０００６】また、脚部及び足先に毛布等を巻いた場合歩行時には毛布等を脱ぎズボン裾部からの冷気の侵入又冷床のため脚部及び足先の保温が出来ず著しい体温の低下があった。【０００７】また、足を暖める暖房器具を使用し冷えを解消する場合使用中に直接又は間接的でも乾燥し喉が渇いたり局部の低温火傷等の問題のおそれがあった。【０００８】また、その他の暖房器具を使用した場合電気使用に伴う経費がかかり使用を続ければ経費は無限にかかる計算となる。【０００９】また、大人から子供まで幅広いそうの人の体温が全て同一というわけではなく誰かに合わせば誰かが寒い思い又暖房器具を使えば暑い思いをしてきた。【００１０】本発明は上記の点を考慮し冬季又は寒冷時の在室時における脚部及び足先の冷えを効率よく解消し・電力に頼らず・行動範囲を狭めることなく・脚部及び足先部の保温ができ・男女を問わず大人から子供まで快適な住空間を実現できる室内用ズボンを提供することにある。
【発明が解決するための手段】
【００１１】本発明の室内用ズボンは上記目的を達成するために腰部から足先部までを一体的に覆うことができ両足進入用の開口部以外に開口部を設けないズボンである。
【００１２】また、核ズボンの足首部が配置される部分に通気の目的と足先からかかと、又足首部を固定するために紐を通す目的を共有する穴を設けた。
【発明の効果】
【００１３】本発明の室内用ズボンは腰部から足先部までを一体的に覆うことにより開口部が無く脚部から足先部まで冷気の侵入口が無いため冷気の侵入を防ぎ保温性の向上がある。
【００１４】また、ズボンの形状にすることにより密着感があまり無く室内での着用に違和感が無い。
【００１５】また、ズボンの形状にすることにより男女を問わず大人から子供まで来客があっても自然体で居られる。
【００１６】また、核ズボンの足首部が配置される部分に設けた通気目的の穴により密封状態による足の蒸れを解消する効果がある。
【００１７】また、通気目的の穴を利用し紐を用い足首部を固定することにより歩行時の足のもつれをなくし室内での移動を違和感無く容易にする効果がある。
【００１８】また、室内での歩行時（移動時）冷床による脚部及び足先部の著しい温度の低下を抑え極端な違和感をなくす効果がある。
【発明を実施するための最良の形態】
【００１９】以下、本発明室内用ズボンの実施の形態を図１〜図４に基ずいて説明する。なお図１は室内用ズボンの使用前の正面図図２は室内用ズボンの使用前の側面図図３は室内用ズボンの使用例の正面図図４は室内用ズボンの使用例の側面図を現す。【００２０】室内用ズボン１は上部に足を侵入させる開口部４が設けられており、足先部３には開口部が無く脚部２から足先部３までを一体的に覆うことができる形状を施している。【００２１】また、開口部４以外に開口部を設けないことで冷気がズボン各所から侵入することを防ぐことができる。【００２２】また、通気穴兼紐通し穴を図３及び図４のように足首部７を固定する目的で使用した場合危険なく室内の移動を容易にする効果がある。【００２３】なた、室内移動時に起こる脚部２及び足先部８への冷気侵入又冷床による温度変化を抑える効果がある。
【図面の簡単な説明】
【００２４】図１は、使用前の正面図。図２は、使用前の側面図。図３は、使用例の正面図。図４は、使用例の面図を表します。
【符号の説明】
【００２５】１、ズボン２、脚部３、足底部４、開口部５、ヒモ６、通気穴兼ヒモ通し穴７、足首部８、足先部
【手続補正４】
【補正対象書類名】図面
【補正対象項目名】全図
【補正方法】変更
【補正の内容】
【図１】
2006265802.tif 000006
【図２】
2006265802.tif 000007
【図３】
2006265802.tif 000008
【図４】
2006265802.tif 000009